(57)【要約】【課題】長手方向側面に実加工が施された化粧シート貼り床材を、作業性よく製造する方法および該製造方法により得られる化粧シート貼り床材を提供する。【解決手段】長手方向側面に実加工された基材１に化粧シート２を被着して床材を製造する方法であって、予め該基材１の表面部１１と実加工部の略上半分と木口１４、１５とを覆うように裁断された化粧シート２をホットメルト接着剤３を介して加熱下に上記基材１に接着させ、その後冷却、離型し、上記化粧シート２を基材１に貼着してなる化粧シート貼り床材の製造方法及び該製造方法によって得られた化粧シート貼り床材Ａ。【選択図】図４
2007162382.tif 000002
【特許請求の範囲】
【請求項１】
長手方向側面に実加工された基材に化粧シートを被着して床材を製造する方法であって、予め該基材の表面部と実加工部の略上半分と木口とを覆うように裁断された化粧シートをホットメルト接着剤を介して加熱下に上記基材に融着させ、その後冷却、離型し、上記化粧シートを基材に貼着してなる化粧シート貼り床材の製造方法。
【請求項２】
上記実加工が雄実と雌実とからなる本実加工である請求項１に記載の化粧シート貼り床材の製造方法。
【請求項３】
上記実加工が合じゃくり加工である請求項１に記載の化粧シート貼り床材の製造方法。
【請求項４】
長手方向側面に実加工された基材の表面部と該実加工部の略上半分と木口とを覆うように、予め、裁断された化粧シートを、ホットメルト接着剤を介して加熱下に上記基材に融着させ、その後冷却、離型し、上記化粧シートを基材に貼着してなる化粧シート貼り床材。
【発明の詳細な説明】
【技術分野】
【０００１】
本発明は、床材に関する。さらに詳しくは、基材に化粧シートが貼着された床材の製造方法及び該製造方法によって得られるシート貼り床材に関する。
【背景技術】
【０００２】
従来、家屋の床材、天井材、壁材等に用いられる建築用板材としては、例えば、下記特許文献１に記載のように、合板等の基材の表面に突板、あるいは木目模様等の任意の意匠が印刷された合成樹脂シート等の化粧シートを接着剤を介して貼着した化粧合板が知られている。
【特許文献１】特開平６−３２２９５０号公報（第１〜３頁、第１図）
【発明の開示】
【発明が解決しようとする課題】
【０００３】
上記特許文献１に記載の従来公知の化粧合板においては、基材に化粧シートをラミネート法等により貼り付けるため、表面部は容易に貼着できるが、上記基材の長手方向側面に実加工が施されている場合、その部分における接着作業が困難で、手間がかかり、見栄えよく化粧シートの端面を仕舞うことが困難で、また、剥がれ易いという問題がある。本発明はこのような問題を解決するためになされたものであって、長手方向側面に雄実と雌実等の実加工が施された化粧シート貼り床材を、容易に作業性よく製造する方法および該製造方法により得られる化粧シート貼り床材を提供することを、その課題とする。
【課題を解決するための手段】
【０００４】
上記課題を解決するために、本発明においては、つぎのような技術的手段を講じている。すなわち、請求項１に記載の発明によれば、長手方向側面に実加工された基材に化粧シートを被着して床材を製造する方法であって、予め該基材の表面部と実加工部の略上半分と木口とを覆うように裁断された化粧シートをホットメルト接着剤を介して加熱下に上記基材に融着させ、その後冷却、離型し、上記基材に化粧シートが貼着された化粧シート貼り床材の製造方法が提供される。
【０００５】
上記基材としては、一般的に、合板が用いられる。上記化粧シートとしてはとくに限定されるものではないが、不織布、紙、合成レザー等に木目柄等任意の模様を印刷した表面層を熱可塑性材料、例えば、ポリ塩化ビニル等、熱可塑性合成樹脂からなるシートで裏打ちした化粧シートが好ましく用いられる。また、ホットメルト接着剤は、１００〜１８０℃に加熱することによって溶融し、室温に冷却することによって固化して融着し、接着するものが好ましく用いられる。例えば、ＥＶＡ（エチレン酢酸ビニル）系、ポリエステル系、ポリオレフィン系、スチレン・エラストマー系、ポリアミド系、合成ゴム系等のホットメルト接着剤をあげることができる。
【０００６】
請求項２に記載の化粧シート貼り床材の製造方法は上記のとおりであり、請求項１に記載の化粧シート貼り床材の製造方法に加えて、上記実加工が雄実と雌実とからなる本実加工とされる。
【０００７】
請求項３に記載の化粧シート貼り床材の製造方法は上記のとおりであり、請求項１に記載の化粧シート貼り床材の製造方法に加えて、上記実加工が合じゃくり加工とされる。
【０００８】
請求項４に記載の化粧シート貼り床材は上記のとおりであり、長手方向側面に実加工された基材の表面部と該実加工部の略上半分と木口とを覆うように、予め、裁断された化粧シートを、ホットメルト接着剤を介して加熱下に上記基材に融着させ、その後冷却、離型し、上記化粧シートを基材に貼着してなる化粧シート貼り床材が提供される。
【発明の効果】
【０００９】
請求項１に記載の発明にかかる化粧シート貼り床材の製造方法は、予め、基材の表面部と実加工部の略上半分と木口とを覆うように裁断された化粧シートをホットメルト接着剤を介して加熱下に上記基材に融着させ、その後冷却、離型するため、接着剤として用いられた無溶剤形のホットメルト接着剤から、加熱により水や有機溶剤が蒸発することなく、環境に優しく、安全に作業することができる。また、加熱により短時間で溶融し、冷却により急速に固化して接着するので、基材の表面部と実加工部の略上半分と木口とを同時に覆って、作業性よく、基材に化粧シートをしっかりと貼着することができる。
【００１０】
請求項２に記載の発明にかかる化粧シート貼り床材の製造方法は上記のとおりであり、請求項１に記載の発明にかかる化粧シート貼り床材の製造方法の有する効果に加えて、上記実加工が雄実と雌実とからなる本実加工とされ、上記化粧シートが雄実の段部まで被着するとともに、雌実の垂下部も被着するため、上記雄実と雌実とを実結合したとき、化粧シートどうしが側端面でぴったりと突き合わされ、雄実が雌実の内部に収められて見栄えよく仕舞うことができる。
【００１１】
請求項３に記載の発明にかかる化粧シート貼り床材の製造方法は上記のとおりであり、請求項１に記載の発明にかかる化粧シート貼り床材の製造方法の有する効果に加え、上記実加工が合じゃくり加工とされているため、上記と同様に、化粧シートどうしが側端面でぴったりと突き合わされ、合じゃくり部が相互に重なり合って、見栄えよく仕舞うことができる。
【００１２】
請求項４に記載の化粧貼り床材は上記のとおりであり、長手方向側面に実加工された基材の表面部と実加工部の略上半分と木口とを覆うように、予め、裁断された化粧シートを、ホットメルト接着剤を介して加熱下に上記基材に融着させ、その後冷却、離型し、上記化粧シートを基材に貼着してなり、化粧シートが基材の表面部とともに、基材の実加工部の略上半分および両木口とを一体的に被着するため、化粧シートが剥離するおそれがなく、また、例えば、床にコーヒー等飲み物をこぼしても、染みや汚れが付着することを防いで耐汚染性に優れた床材を形成することができる。
【発明を実施するための最良の形態】
【００１３】
以下、本発明の実施形態について、図面を参照して、詳細に説明する。図１は、本発明にかかる化粧シート貼り床材の製造方法に用いる基材１と化粧シート２とを示す分解斜視図である。図１に示されるように、基材１には長手方向側面に雄実１２と雌実１３とが設けられるとともに、化粧シート２は、予め、基材１の表面部１１と上記雄実１２の略上半分に相当する段部１２１と雌実１３の略上半分に相当する垂下部１３１および木口１４、１５とを覆って接着するように裁断されている。
【００１４】
以下、上記基材１と化粧シート２とをホットメルト接着剤を用いて接着し、本発明の化粧シート貼り床材を製造する方法について説明する。まず、図２に示すように、ホットメルト接着剤３を、ロールコータ等、適当なホットメルトアプリケータを用いて基材１の上記した接着面にコーティングする。なお、図２において、基材１と化粧シート２とは断面で示されている。ついで、図３に示すように基材１に外嵌する金型４を用いて加熱下にプレスするホットプレス工程を行い、ホットメルト接着剤３を溶融させ、上記した化粧シート２と基材１の表面部１１と上記雄実１２の略上半分に相当する段部１２１と雌実１３の略上半分に相当する垂下部１３１、および図外木口１４、１５とを融着させる。その後、冷却してホットメルト接着剤３を固化させる冷却工程を行う。
【００１５】
冷却は、簡易的な方法、例えば、空気あるいはエアコン等による冷却で対応可能であるが、要すれば、コールドプレス法によりホットメルト接着剤３を冷却、固化させ、基材１の表面部１１と上記した四側面とを接着する。ついで、離型することにより、化粧シート２が基材１の接着面に被着した本発明にかかる化粧シート貼り床材Ａを得ることができる。
【００１６】
図４は、木目柄に意匠された化粧シート２を基材１に被着し、雄実１２を雌実１３に嵌合して本発明にかかる２枚の化粧シート貼り床材Ａを実結合した状態を示す部分断面斜視図である。図４に示されているように、雄実１２の段部１２１を覆う化粧シート２の端部垂下面は、雌実１３の垂下部１３１を覆う化粧シート２の垂下面と突き合わされるとともに、雄実１２は雌実１３の内部に収められ、見栄えよく仕舞われていることが明らかである。
【００１７】
以上、実結合が本実結合の場合について説明したが、合じゃくり結合の場合も上記と同様に仕舞うことが可能であり、本発明を実施することによって、簡単に作業性よく化粧シート貼り床材を製造できるとともに、得られた化粧シート貼り床材Ａを実結合することによって、床面を意匠性よく仕上げることができる。
【図面の簡単な説明】
【００１８】
【図１】本発明にかかる化粧シート貼り床材の製造方法に用いる基材と化粧シートとを示す分解斜視図である。
【図２】ホットメルト接着剤を基材の接着面にコーティングし、ホットプレスする前の状態を示す説明図である。
【図３】金型を用いてホットプレスを行い、本発明の化粧シート貼り床材を製造する工程を示す説明図である。
【図４】本発明にかかる２枚の化粧シート貼り床材を実結合した状態を示す部分断面斜視図である。
【符号の説明】
【００１９】
Ａ          本発明にかかる化粧シート貼り床材
１          基材
１１        表面部
１２        雄実
１２１      段部
１３        雌実
１３１      垂下部
１４        木口
１５        木口
２          化粧シート
３          ホットメルト接着剤
４          金型
【図１】
2007162382.tif 000003
【図２】
2007162382.tif 000004
【図３】
2007162382.tif 000005
【図４】
2007162382.tif 000006